(57)【要約】      （修正有）【課題】散水ろ床型水処理装置から効率的に有害生物を排除することが可能な散水ろ床型水処理装置。【解決手段】散水ろ床型水処理装置１０は、被処理水を生物反応処理するための水槽１１と、該水槽１１に充填されたろ材層１６と、水槽１１の上部からろ材層に向けて被処理水を散水する散水装置と、ろ材層を通過した処理水を排水する排出口Ｔ２を備え、水槽内に生息する有害生物が忌避する波長の光を水槽１１の内壁（水面の近傍）に照射する発光装置が設けられた散水ろ床型水処理装置１０。【選択図】図２
2020157237.tif 000002
【特許請求の範囲】
【請求項１】
被処理水を生物反応処理するための水槽と、
該水槽に充填されたろ材層と、
前記水槽の上部から前記ろ材層に向けて被処理水を散水する散水器と、
前記ろ材層を通過した前記被処理水を排水する排出口と、を備えた散水ろ床型水処理装置において、
前記水槽内に生息する有害生物が忌避する波長の光を前記水槽の内壁に照射する発光装置が設けられていることを特徴とする散水ろ床型水処理装置。
【請求項２】
前記発光装置は、前記波長の光を前記水槽の水面にも照射する、請求項１に記載の散水ろ床型水処理装置。
【請求項３】
前記光の波長は、３００〜５００ｎｍである、請求項１又は２に記載の散水ろ床型水処理装置。
【請求項４】
前記発光装置は、前記波長の光を２×１０１７ photons/m2/s以上の照射面強度で出射する、請求項１〜３のいずれか１項に記載の散水ろ床型排水処理装置。
【請求項５】
被処理水を生物反応処理するための水槽と、
該水槽に充填されたろ材層と、
前記水槽の上部から前記ろ材層に向けて被処理水を散水する散水器と、
前記ろ材層を通過した処理水を排水する排出口とを備えた散水ろ床型水処理装置の洗浄方法において、
前記水槽内に生息する有害生物が忌避する波長の光を前記水槽の内壁に照射する光照射工程と、
前記水槽に水を張って前記ろ材層を前記水の中に浸漬させる水張り工程と、
前記ろ材層が前記水の中に浸漬した状態を８時間以上維持する水没状態維持工程と、
前記排出口から前記水を排出する工程と、を含み、
前記光照射工程が水没状態維持工程において実行されることを特徴とする散水ろ床型水処理装置の洗浄方法。
【請求項６】
前記光照射工程が
前記水張り工程の前から、前記水没状態維持工程の終了まで継続して行うものである、請求項５に記載の散水ろ床型水処理装置の洗浄方法。
【請求項７】
前記光照射工程では、前記波長の光を前記水槽の水面全体に亘って照射する、請求項５又は６に記載の散水ろ床型水処理装置の洗浄方法。
【発明の詳細な説明】
【技術分野】
【０００１】
本発明は、水槽に収容されたろ材層に上方から被処理水を散水して被処理水を浄化する散水ろ床型水処理装置及び散水ろ床型水処理装置の洗浄方法に関する。
【背景技術】
【０００２】
散水ろ床型水処理装置においては、微生物を担持したろ材層が水槽に収容されている。ろ材層には、外部から飛来するろ床ハエや、その幼虫などの有害生物が生息している。このような有害生物は、散水ろ床型水処理装置を運転する上で障害となるだけでなく、周囲へ飛翔し、周辺住民に不快感を与えるという問題があるため、これを排除する必要がある。
【０００３】
このため、定期的に散水ろ床型水処理装置を洗浄する際に、有害生物を除去することが行われている。散水ろ床型水処理装置を洗浄する洗浄方法の１つとして、水槽に水を張ってろ材層全体を水に浸漬させ、その状態を一定時間維持して、ろ材層に付着した有害生物の幼虫や卵等を窒息死させ、次いで水を排出する方法が特許文献１に開示されている。
【先行技術文献】
【特許文献】
【０００４】
【特許文献１】国際公開第２０１２／１６１３３９号
【発明の概要】
【発明が解決しようとする課題】
【０００５】
しかしながら、上記従来の方法では、水槽内に生息する有害生物は、水を張るときに水槽の壁を伝わって上方に退避するため、洗浄操作が終わった後も有害生物が残存して、再び有害生物によって汚染された状態になることが多かった。
【０００６】
本発明は上記した点に鑑みてなされたものであり、散水ろ床型水処理装置から効率的に有害生物を排除することが可能な散水ろ床型水処理装置を提供することを課題とする。
【課題を解決するための手段】
【０００７】
上記目的を達成するため、本発明の散水ろ床型水処理装置は、被処理水を生物反応処理するための水槽と、該水槽に充填されたろ材層と、前記水槽の上部から前記ろ材層に向けて被処理水を散水する散水器と、前記ろ材層を通過した処理水を排水する排出口とを備えた散水ろ床型水処理装置において、前記水槽内に生息する有害生物が忌避する波長の光を前記水槽の内壁（特に内壁の水面の近傍）に向けて照射する発光装置が設けられていることを特徴とする。
【０００８】
本発明の散水ろ床型水処理装置によれば、水を張る際に、発光装置によって、有害生物が忌避する波長の光を水槽の内壁の水面の近傍に向けて照射することにより、ハエの幼虫などの有害生物が水槽の内壁を伝わって上方に退避することができなくなり、水面下に沈んで窒息死する、または排水時に排水と一緒に排出されるので、有害生物をより効果的に死滅または除去させることが可能となる。
【０００９】
前記発光装置は、前記波長の光を前記水槽の水面にも照射するとよい。
【００１０】
上記態様によれば、水槽の内壁（特に内壁の水面の近傍）及び水面に向けて前記波長の光を照射することにより、ハエの幼虫などの有害生物が水槽の内壁を伝わって水面上に退避することや、浮遊するろ材を伝わって水面上に退避することを阻止し、水面下にとどまらせて効果的に窒息死させることができる。
【００１１】
前記光の波長は、３００〜５００ｎｍとするとよい。
【００１２】
上記態様によれば、３００〜５００ｎｍの波長の光は、ろ床バエのような有害生物が忌避する光である。従って、散水ろ床型水処理装置の水槽に生息しやすい、ろ床バエのような有害生物が水面上に退避するのを効果的に阻止できる。
【００１３】
前記発光装置は、前記波長の光を２×１０１７ photons/m2/s以上の照射面強度で出射することができる発光装置を有している。
【００１４】
上記態様によれば、前記波長の光を２×１０１７ photons/m2/s以上の照射面強度で出射することにより、有害生物の水面上方への退避を効果的に阻止することができる。
【００１５】
本発明の散水ろ床型水処理装置の洗浄方法は、被処理水を生物反応処理するための水槽と、該水槽に充填されたろ材層と、前記水槽の上部から前記ろ材層に向けて被処理水を散水する散水器と、前記ろ材層を通過した処理水を排水する排出口とを備えた散水ろ床型水処理装置の洗浄方法において、前記水槽内に生息する有害生物が忌避する波長の光を前記水槽の内壁に照射する光照射工程と、前記水槽に水を張って前記ろ材層を前記水の中に浸漬させる水張り工程と、前記ろ材層が前記水の中に浸漬した状態を８時間以上維持する水没状態維持工程と、前記排出口から前記水を排出する工程と、を含み、前記光照射工程が水没状態維持工程において実行されることを特徴とする。
【００１６】
散水ろ床型水処理装置の水槽内に生息する有害生物は、水位の上昇に伴って水槽の内壁や担体を伝って水面上に退避しようとするが、水槽の内壁に有害生物が忌避する波長の光を照射しているので、有害生物は水面より上方に退避することができず、水面下で窒息死する。そして、水を排出する際に、排出水と一緒に流し出されるので、有害生物を効果的に除去することができる。
【００１７】
本発明の散水ろ床型水処理装置の洗浄方法においては、前記水張り工程の前から、前記水没状態維持工程の終了まで、前記光照射工程を継続して行うとよい。
【００１８】
水張り工程の前から、水没状態維持工程の終了まで、光照射工程を継続して行うことにより、水張り時に有害生物が水槽の内壁や担体を伝わって水面上に逃げることを阻止でき、水面下にずっととどまらせて、効果的に窒息死させることができる。
【００１９】
前記光照射工程では、前記水槽の内壁の水面及びその上部に向けて前記波長の光を照射するとよい。
【００２０】
上記態様によれば、水槽の内壁の水面及びその上部に向けて前記波長の光を照射することにより、ハエの幼虫などの有害生物が水槽の内壁や担体を伝わって水面上に退避することを抑制し、水面下にとどまらせて効果的に窒息死させることができる。
【００２１】
前記光照射工程では、前記水槽の水面全体に亘って前記波長の光を照射するとよい。
【００２２】
水槽内に生息する有害生物は、水槽の内壁に限らず、水面に浮上するろ材などを伝わって水面上に退避する場合もある。上記態様によれば、有害生物が忌避する波長の光を水面に向けて照射することにより、水面に浮上するろ材にも上記光が照射され、ろ材を伝わって水面上に退避することができなくなるので、有害生物をより効果的に死滅させることが可能となる。
【図面の簡単な説明】
【００２３】
【図１】本発明による散水ろ床水処理装置の斜視図である。
【図２】本発明による散水ろ床水処理装置の図１のＡ−Ａ線の断面図である。
【図３】図１の発光装置によって光が出射される態様を説明する説明図である。
【図４】本発明による散水ろ床水処理装置の洗浄工程を示すフローである。
【図５】実施例２に係る散水ろ床水処理装置の発光装置によって光が出射される態様を説明する説明図である。
【発明を実施するための形態】
【実施例１】
【００２４】
以下、図面を参照しつつ、本発明による散水ろ床型水処理装置について説明する。散水ろ床型水処理装置は、被処理水に含まれている有機物を微生物によって分解処理する装置である。
【００２５】
図１に示すように、散水ろ床水処理装置１０の水槽１１は、その内部に被処理水を収容可能に円筒状に形成されている。水槽１１の上端は、開口して形成されている。水槽１１には、微生物が付着した複数のろ材によって構成されているろ材層（図示せず）が充填（収容）されている。水槽１１は、被処理水を生物反応処理するための収容部材である。尚、水槽１１は、円筒状に限られず角柱状であってもよい。また、水槽１１の上端は必ずしも開口していなくてもよく、閉塞して形成されていてもよい。水槽１１の上端を閉塞して形成した場合は、水槽１１の内部を視認可能な点検口を水槽１１の上端に設けるとよい。
【００２６】
水槽１１の開口端の近傍には、被処理水をろ材層に向けて散布する散水装置１２が設けられている。散水装置１２は、例えば、被処理水の散布による反力を利用して水槽１１の円周方向に沿って回転する回転式散水装置である。
【００２７】
枠体１３は、重力方向における上方から見て矩形状をなす梁部１３ａを有する。梁部１３ａは、重力方向の上方から見て一方の面から他方の面にかけて貫通した貫通孔が設けられている。梁部１３ａは、水槽１１の開口端を跨ぐように設けられている。梁部１３ａの水槽１１と対向する面には、複数の発光ダイオード１４が梁部１３ａの形状に沿って列状に設けられている。
【００２８】
枠体１３は、梁部１３ａの矩形の頂点に位置する端部から梁部１３ａに対して垂直方向に延びる４つの脚部１３ｂを有している。４つの脚部１３ｂは、水槽１１の側壁に沿って延びる柱状をなしている。尚、本実施例においては、枠体１３は水槽１１の外側からを囲むように設けられている。枠体１３は水槽１１の内部に設けられているようにしてもよい。例えば、４つの脚部１３ｂを水槽１１の内部に設け、梁部１３ａの水槽１１の内壁と対向する位置又は水槽１１の底部と対向する位置に複数の発光ダイオード１４を設けるとよい。
【００２９】
発光装置としての複数の発光ダイオード１４は、例えば、ＬＥＤ（Light Emitting Diode）チップによって発光された光を出射することが可能である。発光ダイオード１４は、水槽１１内に生息する有害生物が忌避する波長の光を出射することが可能である。水槽１１内に生息する有害生物としては、例えば、ろ床バエ、ユスリカ、サカマキガイ等が挙げられる。
【００３０】
これらの有害生物が忌避する光の波長は、３００〜５００ｎｍである。発光ダイオード１４は、例えば、上記有害生物が忌避する３００〜５００ｎｍの波長の光を出射可能である。また、発光ダイオード１４は、当該波長の光を２×１０１７ photons/ｍ2/s以上の照射面強度で出射することが可能である。
【００３１】
尚、発光ダイオード１４は、例えば、レーザダイオードであってもよい。また、発光装置は、上記有害生物が忌避する３００〜５００ｎｍの波長の光を出射可能であり、かつ当該波長の光を２×１０１７  photons/m2/s以上の照射面強度で出射することが可能であればよく、発光ダイオードに限られない。例えば、発光装置は、ハロゲンランプやキセノンランプなどの光源であってもよい。また、発光装置から出射された出射光は、直接的に用いてもよいし、光ファイバーや導光棒等の導光部材や、ミラー等の反射部材を介して用いてもよい。
【００３２】
図２は、図１の散水ろ床水処理装置のＡ−Ａ線断面を示している。図２に示すように、支持板１５は、水槽１１の重力方向における下方に設けられている。支持板１５は、水槽１１の内壁の形状に沿うように円板状且つ網目状に形成されている。
【００３３】
支持板１５上には、被処理水の生物処理を行うためのろ材層１６が配されている。ろ材層１６は、複数のろ材１６ａが配されている。複数のろ材１６ａの各々は、支持板１５の網目よりも大きく形成されている。従って、支持板１５は、ろ材層１６の複数のろ材２６を支持すると共に、ろ材１６ａが支持板１５よりも重力方向の下方に落下することを防止する。
【００３４】
複数のろ材１６ａは、例えば、両端が開口する円筒状に形成されている。複数のろ材１６ａの各々は、例えば、水の比重である１．０に近い値、例えば０．９を有するとよい。このような比重を有する材料としては、ポリウレタンやポリプロピレン等の樹脂が挙げられる。尚、このようなろ材の比重や材質に限られず、例えば、ろ材は石であってもよい。
【００３５】
複数のろ材１６ａの各々の表面には、被処理水に含まれている有機物を分解する微生物が担持されている。有機物を分解する微生物としては、例えば、生物化学的酸素要求量（BOD（Biochemical Oxygen Demand））細菌、アンモニア酸化菌及び亜硝酸酸化菌等が挙げられる。BOD細菌としては、例えば、ワムシ、ツリガネムシなどの従属栄養細菌が挙げられる。アンモニア酸化菌としては、例えば、ニトロソモナス（Nitrosomonas）属、ニトロソコッカス（Nitorosococcus）属、ニトロソスピラ（Nitrosospira）属が挙げられる。亜硝酸酸化菌としては、例えば、ニトロバクター（Nitrobacter）属、ニトロスピラ（Nitrospira）属が挙げられる。
【００３６】
配管Ｔ１は、被処理水を水槽１１に導く水路である。配管Ｔ１は、水槽１１の外部から内部に至るまで配設されている。配管Ｔ１は、水槽１１内において水槽１１の底面の中心に対して垂直方向、かつ重力方向の上方に延びて形成されている。配管Ｔ１の先端には、散水装置１２が接続されている。尚、図中においては、配管Ｔ１は、水槽１１の壁面を貫くように設けられている。しかし、配管Ｔ１は、水槽１１の壁面を迂回して配設されていてもよい。例えば、配管Ｔ１は、水槽１１の上端に設けられている開口部を跨ぐように配設されているようにしてもよい。
【００３７】
したがって、配管Ｔ１から被処理水が供給されると、散水装置１２から被処理水がろ材層１６に向けて散布される。この際、散水装置１２は、被処理水の散布に伴う反力により水槽１１の内壁に沿って、円周方向に回転する。
【００３８】
排水管Ｔ２は、水槽１１の底部近傍の壁面に設けられている。排水管Ｔ２は、水槽１１において被処理水が生物処理された後に、被処理水を水槽１１から排水させることが可能である。従って、排水管Ｔ２は、ろ材層１６を通過した被処理水を排水する排出口である。
【００３９】
排水管Ｔ２は、例えば、自然流下によって水槽１１から被処理水を排水させることが可能である。尚、弁Ｖは、排水管Ｔ２に設けられている。弁Ｖを閉じることによって、排水管Ｔ２に被処理水が流れることを防ぐことができる。
【００４０】
ブロワＢＬは、モータの駆動軸の回転に伴って回転するファンを備える送風装置である。ブロワＢＬは、水槽１１内まで配管された空気噴出管Ｔ３に接続されている。空気噴出管Ｔ３は、水槽１１側に配されている先端側において多数の空気孔が形成されている。空気噴出管Ｔ３は、水槽１１において、支持板１５とろ材層１６との間に配されているとよい。このように、空気噴出管Ｔ３を配することにより、適当な気泡径を保ちつつ、ろ材層１６に向けて空気を送気することができる。
【００４１】
尚、図中においては、空気噴出管Ｔ３は、水槽１１の壁面を貫くように設けられている。しかし、空気噴出管Ｔ３は、水槽１１の壁面を迂回して配設されていてもよい。例えば、空気噴出管Ｔ３は、水槽１１の上端に設けられている開口部を跨ぐように配設されているようにしてもよい。
【００４２】
従って、ブロワＢＬから空気噴出管Ｔ３に空気が送気されると、空気噴出管Ｔ３の水槽１１側に配されている先端側から空気が排出される。
【００４３】
尚、図中の点線矢印は、発光ダイオード１４から出射された出射光Ｌを示している。発光ダイオード１４は、水槽１１の内壁の水面近傍に出射光Ｌを出射するように枠体１３に取り付けられている。発光ダイオード１４は、例えば、水槽１１の内壁の水面上部に出射光Ｌを出射するように枠体１３に取り付けられている。
【００４４】
図３は、発光ダイオード１４から出射光Ｌが出射される態様を示している。図中の破線で示された円は、出射光Ｌのスポット径ＳＤを示している。図３に示すように、複数の発光ダイオード１４の出射光Ｌは、水槽１１の内壁の水面近傍に照射される。本図においては、水槽１１の内壁において水面と接する位置に出射光Ｌが一様に照射されている。
【００４５】
言い換えれば、水槽１１の内壁の水面上部の全周に亘って出射光Ｌが照射されている。このように、出射光Ｌが出射されることにより、水槽１１の内壁を伝わって水面上に逃げようとする有害生物の移動を阻止し、有害生物を水面下にとどまらせて死滅させることが可能となる。
【００４６】
尚、出射光Ｌは、水槽１１の内壁の水面近傍に限られず、水槽１１の内壁に照射されるようにするとよい。例えば、水槽１１の内壁の水面よりも重力方向の上側には、有害生物の幼虫が存在する場合がある。水槽１１の内壁の水面よりも重力方向の上側に照射光Ｌが照射されることにより、有害生物の幼虫を水面に落下させ駆除することが可能となる。
【００４７】
以上で説明した散水ろ床型水処理装置においては、被処理水の浄化処理が次のようにして行われる。すなわち、被処理水は、ろ材層１６にむけて散水装置１２から散布される。被処理水は、ろ材層１６の空隙を通り、水槽１１の底部へ流下する。また、ろ材層１６内を流下する被処理水に含まれている有機物は、複数のろ材１６ａの表面に担持されている微生物によって分解処理される。分解処理された被処理水は、排水管Ｔ２から水槽１１の外部に排水される。
【００４８】
図４は、散水ろ床型水処理装置の洗浄工程を示している。図４に示すように、散水ろ床型水処理装置の洗浄は、まず、水槽１１内に生息する有害生物が忌避する波長の光を水槽１１の内壁の水面の近傍に向けて照射する光照射工程（ステップＳ１０１）が行われる。光照射工程では、図３の説明で記載したように、発光ダイオード１４から出射光Ｌを出射させて、出射光Ｌを水槽１１の内壁の水面の近傍に向けて、好ましくは水槽１１の内壁の水面と接する部分とその上部に亘って全周に照射されるとよい。尚、ステップＳ１０１の光照射工程は、後述するステップＳ１０３の工程が終了するまで継続して行われる。
【００４９】
次いで、水槽１１に水を張ってろ材層１６を水中に浸漬させる水張り工程（ステップＳ１０２）が行われる。具体的には、弁Ｖを閉じたうえで水槽１１に水を給水する。
【００５０】
その後、当該光を照射した状態でろ材層１６が水中に浸漬した状態を８時間以上維持して、ろ材層１６や水槽の内壁に付着した有害生物を窒息死させる水没状態維持工程（ステップＳ１０３）が行われる。尚、ろ材層１６が水中に浸漬した状態は、好ましくは１２時間以上維持するとよい。１２時間以上維持することによって、確実に有害生物を死滅させることができるためである。
【００５１】
最後に、排出口から水を排出する工程（ステップＳ１０４）が行われる。ステップＳ１０４においては、弁Ｖを開くことによって、水槽１１の水を外部に排水することができる。
【００５２】
尚、空気噴出管Ｔ３から空気を噴出させて、ろ材層１６のろ材１６ａを攪拌して、ろ材１６ａに付着した汚泥や、水中の浮遊物を除去するいわゆる、曝気洗浄工程を行ってもよい。この曝気洗浄工程は、ステップＳ１０２の水張り工程の後からステップＳ１０３の水没状態維持工程の後までの間に任意に行うことが可能である。
【００５３】
また、ステップＳ１０１の光照射工程は、少なくとも、ステップＳ１０３の水没状態維持工程の水没状態維持工程において行われていればよい。ステップＳ１０１の光照射工程は、好ましくは、水没状態維持工程の開始から終了まで継続して行われ、より好ましくは、本実施例のように、ステップＳ１０２の水張り工程の前から、ステップＳ１０３の水没状態維持工程の終了まで継続して行われるようにするとよい。このようにすることで、水張り時に有害生物が水槽１１の内壁を伝わって水面上に逃げることを阻止でき、水面下にずっととどまらせて、効果的に有害生物を窒息死させることができる。
【００５４】
また、本実施例においては、枠体１３に発光ダイオード１４が設けられている例を説明した。しかし、発光ダイオード１４は、枠体１３に設けられている態様に限られず、例えば、水槽１１の内壁に設けられているようにしてもよい。また、出射光Ｌを光ファイバーや導光棒等の導光部材で水槽１１の槽内に誘導させ、導光部材から水槽１１内に出射光Ｌが照射されるようにしてもよい。
【００５５】
以上のように、本発明による散水ろ床型水処理装置１０によれば、水を張る際に、発光ダイオード１４によって、有害生物が忌避する波長の光を水槽１１の内壁に向けて照射することにより、ろ床ハエの幼虫などの有害生物が水槽１１の内壁を伝わって上方に退避することができなくなり、水面下に沈んで窒息死するので、有害生物をより効果的に死滅させることが可能となる。その結果、散水ろ床型水処理装置から効率的に有害生物を排除することが可能となる。
【００５６】
また、散水ろ床型水処理装置１０の水槽１１内に生息する有害生物は、水位の上昇に伴って水槽１１の内壁や担体を伝って水面上に退避しようとするが、水槽１１の内壁に有害生物が忌避する波長の光を照射しているので、有害生物は水面の上方に退避することができず、水面下で窒息死する。そして、水を排出する際に、排出水と一緒に流し出されるので、有害生物を効果的に除去することができる。
【実施例２】
【００５７】
実施例２に係る散水ろ床型水処理装置１０について説明する。実施例２に係る散水ろ床型水処理装置１０は、発光ダイオード１４が出射する出射光Ｌの照射範囲が実施例１に係る散水ろ床型水処理装置１０とは異なる。その余の構成については、実施例１に係る散水ろ床型水処理装置１０と同一であるので説明を省略する。
【００５８】
図５は、実施例２に係る散水ろ床型水処理装置１０の発光ダイオード１４から出射光Ｌが出射される態様を示している。図中の破線で示された円は、出射光Ｌのスポット径ＳＤを示している。
【００５９】
図５に示すように、複数の発光ダイオード１４は、水槽１１の内壁の水面近傍に亘って出射光Ｌを照射する。また、複数の発光ダイオード１４は、水槽１１の水面に向けて出射光Ｌを出射する。本図においては、水面に対して一様に出射光Ｌが照射されている。言い換えれば、水槽の水面全体に亘って出射光Ｌが照射されている。
【００６０】
本実施例のように、複数の発光ダイオード１４を枠体１３に設けた場合には、実施例１で説明したステップＳ１０２の光照射工程では、出射光Ｌを水槽１１の内壁の水面近傍及び水槽１１の水面に向けて出射光Ｌを出射するようにするとよい。
【００６１】
以上のように、水槽の内壁の水面及びその上部に向けて特定の上記波長の光を照射することにより、ハエの幼虫などの有害生物が水槽の内壁や担体を伝わって水面上に退避することを阻止し、水面下にとどまらせて効果的に窒息死させることができる。その結果、散水ろ床型水処理装置から効率的に有害生物を排除することが可能となる。
【００６２】
また、水槽１１内に生息する有害生物は、水槽１１の内壁に限らず、水面に浮上するろ材などを伝わって水面上に退避する場合もある。このように、有害生物が忌避する波長の光を水面に向けて照射することにより、水面に浮上するろ材にも上記光が照射され、ろ材を伝わって水面上に退避することができなくなるので、有害生物をより効果的に死滅させることが可能となる。
【符号の説明】
【００６３】
１０  散水ろ床水処理装置
１１  水槽
１２  散水装置
１４  発光ダイオード
１６  ろ材層
１６ａ  ろ材
【図１】
2020157237.tif 000003
【図２】
2020157237.tif 000004
【図３】
2020157237.tif 000005
【図４】
2020157237.tif 000006
【図５】
2020157237.tif 000007